(57)【要約】      （修正有）【課題】引き出し式の扉が閉じた状態であっても回動動作で開閉できる冷蔵庫を提供する。【解決手段】冷蔵室の前方開口部を塞ぎ、前方向にスライドすることで冷蔵室を開口状態にする引き出し動作と、前方に回動することで前記冷蔵室を開口状態にする回動動作とを行う扉１２と、扉１２の幅方向の両端付近を支持して冷蔵室の内部で前後方向に沿って移動可能であるレール部材１４と、扉１２とレール部材１４とを機械的に連結するリンク機構と、を具備する。【選択図】図３
2015169342.tif 000002
【特許請求の範囲】
【請求項１】
冷蔵室の前方開口部を塞ぎ、前方にスライドすることで前記冷蔵室を開口状態にする引き出し動作と、前方に回動することで前記冷蔵室を開口状態にする回動動作と、を行う扉と、
前記扉を支持して前記冷蔵室の内部で前後方向に沿って移動可能である移動支持部と、
前記扉と前記移動支持部とを機械的に連結するリンク機構と、を具備することを特徴とする冷蔵庫。
【請求項２】
前記リンク機構は、
一端が前記移動支持部側に軸支され、他端が前記扉側に軸支される第１リンクと、
一端が前記第１アームの前記一端よりも後側の前記移動支持部側に軸支され、他端が前記第１アームの前記他端よりも後側の前記扉側に軸支される第２リンクと、を有することを特徴とする請求項１に記載の冷蔵庫。
【請求項３】
前記リンク機構は、
前記扉の開く角度が一定となるまでは前記扉が上方に移動しつつ開動作し、前記角度が一定以上となれば前記扉が下方に移動しつつ開動作するように構成されることを特徴とする請求項１または請求項２に記載の冷蔵庫。
【請求項４】
前記扉の前記移動支持部に対する前記回動動作を規制する係合機構と、
ワイヤを経由して前記係合機構と接続され、使用者の動作により前記係合機構を解除するハンドル部と、を更に具備することを特徴とする請求項１から請求項３の何れかに記載の冷蔵庫。
【請求項５】
前記係合機構は前記扉に設けられて幅方向に沿って突出する係合部を有することを特徴とする請求項４に記載の冷蔵庫。
【請求項６】
前記扉の内側側面には収納部が設けられることを特徴とする請求項１から請求項５の何れかに記載の冷蔵庫。
【発明の詳細な説明】
【技術分野】
【０００１】
本発明は、前後方向に出し入れ可能であると共に回動動作も可能である扉を有する冷蔵庫に関する。
【背景技術】
【０００２】
通常の冷蔵庫では、冷蔵室や冷凍室等の複数の貯蔵室が区画して設けられており、これらの貯蔵室の前面に設けられる開口部は扉で塞がれている。この扉の開閉機構としては、冷蔵庫の前後方向に引き出し可能な引き出し方式と、左右どちらかの側辺を支点として回転する回動方式とがある。一般的な冷蔵庫では、冷蔵室の扉では回動方式が採用され、冷凍室や野菜室の扉では引き出し方式が採用される。
【０００３】
また、引き出し動作と回動動作の両方を可能とする扉を備えた冷蔵庫が以下の特許文献１および特許文献２に開示されている。
【０００４】
特許文献１の図４およびその説明箇所を参照して、補助物品収納部が内側に取り付けられた前面扉１１は、冷蔵庫本体２に対して引き出し可能に取り付けられている。また、前面扉１１は、連結装置６０を介して冷蔵庫本体２に取り付けられていることにより、前方に回動可能とされている。これにより、前面扉の内側に配設された補助物品収納部４０から、重いペットボトル等を斜め状態で取り出すことが可能となり、冷蔵庫の使用性が向上する。
【０００５】
特許文献２の図１およびその説明箇所を参照して、冷蔵庫の引き出し式扉の主扉２に少扉８を設けており、この症扉８が下端を回転中心として回動可能とされている。係る構成により、保存物の出し入れの際に開口部の床面からの高さが低くなるので、保存物の出し入れが容易になり、また、扉の開口量が小さくて済むため省エネ効果が得られる。
【先行技術文献】
【特許文献】
【０００６】
【特許文献１】特開２００４−１９１０３９号公報
【特許文献２】特開２００３−２６２４６０号公報
【発明の概要】
【発明が解決しようとする課題】
【０００７】
しかしながら、上記した特許文献１に記載された発明では、図４を参照すると、扉１１を回動させると、水平軸５４の端部を中心にして回転するため、扉１１の下端が回動動作に伴い下方に移動する。よって、扉１１を奥側に閉めた状態では、扉１１の下方に配置された他の扉が干渉することにより、扉１１を回動動作出来ない問題があった。
【０００８】
特許文献２に記載された発明では、扉の引き出し動作と回動動作を可能とするため、引き出し式の扉２に回動式の少扉８を形成しているので、扉を構成する部品点数が多くなり、コストが高かくなる恐れがあった。
【０００９】
本発明は、上記の事情に鑑みてなされたものであり、その目的は、引き出し式の扉が閉じた状態であっても回動動作で開閉できる冷蔵庫を提供することである。
【課題を解決するための手段】
【００１０】
本発明の冷蔵庫は、冷蔵室の前方開口部を塞ぎ、前方にスライドすることで前記冷蔵室を開口状態にする引き出し動作と、前方に回動することで前記冷蔵室を開口状態にする回動動作と、を行う扉と、前記扉を支持して前記冷蔵室の内部で前後方向に沿って移動可能である移動支持部と、前記扉と前記移動支持部とを機械的に連結するリンク機構と、を具備することを特徴とする。
【発明の効果】
【００１１】
本発明によれば、前後方向に移動する移動支持部と扉とをリンク機構で機械的に連結している。よって、回動動作に伴い扉が過度に上方に移動しないので、その回動動作が他の扉により干渉されず、引き出されていない状態の扉を回動動作させることが可能となる。更に、回動動作時に伴う重心の高さの変動が少ないため、使用者が容易に扉を回動動作させることができる。更には、扉を開けることで冷気が外部に漏れることが抑制されて省エネルギーが実現される。
【図面の簡単な説明】
【００１２】
【図１】本発明の冷蔵庫を示す正面図である。
【図２】本発明の冷蔵庫で扉が開動作している状態を示す図であり、（Ａ）は断面図であり（Ｂ）は断面斜視図であり、（Ｃ）はリンク機構を示す側面図である。
【図３】本発明の冷蔵庫で扉が開動作する状況を示す図であり、（Ａ）から（Ｃ）は逐次的な動作を示す断面図である。
【図４】本発明の冷蔵庫で採用されるリンク機構の構成を示す図であり、（Ａ）は閉状態を示し、（Ｂ）は開動作の途中段階を示し、（Ｃ）は全開状態を示している。
【図５】本発明の冷蔵庫を示す図であり、（Ａ）はリンク支持部材を全体的に示す斜視図であり、（Ｂ）はリンク支持部を示す斜視図である。
【図６】本発明の冷蔵庫に内蔵される扉の内部構造を示す図であり、（Ａ）および（Ｂ）は扉を示す斜視図であり、（Ｃ）および（Ｄ）はハンドル部を示す断面図および斜視図であり、（Ｅ）および（Ｆ）は係合機構を示す斜視図である。
【発明を実施するための形態】
【００１３】
以下、本発明の実施形態に係る冷蔵庫を図面に基づき詳細に説明する。
【００１４】
図１は、本実施形態に係る冷蔵庫１の概略構造を示す正面外観図である。冷蔵庫１は、本体としての断熱箱体２を備え、断熱箱体２の内部に食品等を貯蔵する貯蔵室を形成している。貯蔵室の内部は、保存温度や用途に応じて複数の冷蔵室３等に区分されている。最上段が冷蔵室３、その下段左側が製氷室４で右側が上段冷凍室５、更にその下段が下段冷凍室６、最下段が野菜室７である。
【００１５】
断熱箱体２の前面は開口しており、前記各冷蔵室３等に対応した開口部には、各々扉８〜１２が開閉自在に設けられている。扉８は、冷蔵室３の前面を塞ぐもので、扉８の右側上下部が断熱箱体２に回転自在に支持されている。また、扉９〜１２は、引き出し式の扉であり、冷蔵庫１の前方に引出自在に、各々断熱箱体２に支持されている。
【００１６】
尚、断熱箱体２は、鋼板製の外箱と、その内側に間隙を持たせて配設される合成樹脂製の内箱と、前記外箱と前記内箱との間隙に充填発泡される発泡ポリウレタン製の断熱材と、から構成されている。各扉８〜１２も、断熱箱体２と同様の断熱構造を採用している。
【００１７】
また、図示を省略するが、冷蔵庫１は、冷却手段として、例えば、イソブタン（Ｒ６００ａ）等を冷媒とする蒸気圧縮式の冷凍サイクル回路を備えている。そして、前記冷凍サイクル回路の冷却器で冷却された空気を前記各冷蔵室３等に強制循環させて、そこに貯蔵される食品等を冷却する。
【００１８】
図２を参照して、扉１２が設けられる野菜室７の構造を説明する。図２（Ａ）は扉１２が回動することにより開状態とされた状況を示す断面図であり、図２（Ｂ）はその状態を示す斜視図であり、図２（Ｃ）はリンク機構２２の構成を示す側面図である。
【００１９】
以下の説明では、Ｘ方向、Ｙ方向およびＺ方向を用いて説明する場合がある。ここで、Ｘ方向とは冷蔵庫の幅方向であり、Ｙ方向とは扉が引き出される方向であり、Ｚ方向とは高さ方向である。
【００２０】
図２（Ａ）及び図２（Ｂ）を参照して、野菜室７には野菜容器２０と小物容器１８とが内蔵されており、これらの容器はレール部材１４（移動支持部）によりＹ方向に沿って引き出し可能とされている。
【００２１】
レール部材１４は、野菜室７の内側側面に回転自在に取り付けられたローラー２４により支持されており、Ｙ方向に沿ってスライドすることが可能である。レール部材１４はレール状に成形された金属板等から成る。レール部材１４により支持された状態で、野菜容器２０、小物容器１８、扉１２および収納部１９は、Ｙ方向に沿って一体に引き出し可能とされている。
【００２２】
また、野菜室７の前面開口部は通常時においては扉１２により閉鎖されている。扉１２の内側側面には、ペットボトルに代表される物品１６を収納するための収納部１９が設けられている。収納部１９の具体的な大きさは、例えば２リットルの容積を有するペットボトルが４本程度収納可能な程度である。本形態では、扉１２は、リンク機構２２を経由して、レール部材１４に対して機械的に連結されている。
【００２３】
本形態で野菜室７を閉鎖する扉１２は、＋Ｙ方向に引出す引き出し動作により開状態となり、更に、扉１２を回動させることによっても開状態とされるものである。具体的は、扉１２が閉状態の際に、使用者がハンドル部５８を持って＋Ｙ方向に引っ張ると、扉１２は野菜容器２０等と共に＋Ｙ方向に引き出され、野菜室７に収納された野菜等の出し入れが可能となる。一方、扉１２が閉状態の際に、ハンドル部５８の特定の部位に対して使用者が押圧力を加えると、扉１２がその下端付近を支点にして時計回りに回動して開状態となり、扉１２の内側側面に設けられた収納部１９から物品１６を出し入れすることが可能となる。ハンドル部５８の具体的な形状は図６を参照して後述する。
【００２４】
図２（Ｃ）を参照して、上記したレール部材１４と扉１２と連結するリンク機構２２を説明する。ここでリンク機構２２は、扉１２のＸ方向の両端部付近に設けられている。リンク機構２２は、レール部材１４の＋Ｙ側の端部付近に固定されるリンク支持部２８Ａと、扉１２の内側側面に固定されるリンク支持部２６と、リンク支持部２８Ａとリンク支持部２６との間に架設されたリンク３０およびリンク３２とを具備している。ここで、リンク３０およびリンク３２は、棒状の金属板から成り成る。
【００２５】
リンク３０の上端はリンク支持部２８Ａに軸部３８を介して回転可能に接続され、リンク３０の下端はリンク支持部２６に軸部４０を介して回転可能に接続されている。ここで、軸部３８では、リンク支持部２８Ａおよびリンク３０に形成された孔部を貫通するビス状の部材を用いて、リンク３０をリンク支持部２８Ａに対して回転可能に接続している。係る構造は他の軸部でも同様である。
【００２６】
同様に、リンク３２の上端は軸部３４を経由してリンク支持部２８Ａに回転可能に接続され、リンク３２の下端は軸部３６を経由してリンク支持部２６に回転可能に接続されている。
【００２７】
本形態では、リンク３２とリンク支持部２８Ａとの接続部（軸部３４）を、リンク３０とリンク支持部２８Ａとの接続部（軸部３８）よりも−Ｙ側であり、且つ、−Ｚ側に配置している。更に、リンク３２とリンク支持部２６との接続部（軸部３６）を、リンク３０とリンク支持部２６との接続部（軸部４０）よりも−Ｙ側に配置している。更に、リンク３０はリンク３２よりも長く形成されている。本形態では、係る構成のリンク機構２２で扉１２とレール部材１４とを連結することで、後述するように、扉１２を所定の軌道に沿って回動動作させることが可能であり、使用者が容易に扉１２を開くことを可能としている。
【００２８】
図３を参照して、上記した扉１２を回動させて開状態とする動作を説明する。図３（Ａ）は扉１２が閉状態の場合を示す断面図であり、図３（Ｂ）は扉１２の回動する角度が１０度に達した場合を示す断面図であり、図３（Ｃ）は扉１２の回動が３５度に達した場合を示す断面図である。ここで、扉１２の回動する角度とは、扉１２の主面が垂直面から傾く角度である。
【００２９】
図３（Ａ）を参照して、通常の使用状況下で野菜室７が閉鎖されている状態では、扉１２の主面は垂直状態である。この時、リンク支持部２８Ａを矩形に開口させた係合孔５２に、扉１２に設けられた係合機構（不図示）が係合することで、リンク支持部２８Ａと扉１２とは係合されており、リンク機構に含まれるリンク３０およびリンク３２は略垂直方向を向いた状態となっている。扉１２の回動を規制する係合機構の詳細は図６を参照して後述する。
【００３０】
図３（Ｂ）を参照して、閉状態の扉１２に対して使用者が操作を行うことにより、係合孔５２と扉１２との係合を解除して＋Ｙ方向に扉１２の上部を引っ張ることで、扉１２はその下端付近を回転中心として時計回りに回動する。扉１２の係合を解除する構成は図６を参照して後述する。この図では、扉１２が垂直面から傾斜する角度を１０度とした場合を示している。
【００３１】
上記したように、本形態では、扉１２とレール部材１４とをリンク機構を経由して連結している。よって、扉１２は、その下端を中心にして単純に回動するのではなく、野菜室７から離れつつ徐々に回動する挙動を示す。よって、図１を参照すると、扉１２の上方直近には下段冷凍室６を閉鎖する扉１１が配置されているが、扉１２の回動動作が扉１１により阻害されることが無い。扉１２の回動に伴い、リンク３０は、軸部３８を中心にして紙面上にて反時計回りに回転する。同様に、リンク３２も軸部３４を経由して反時計回りに回転する。
【００３２】
本形態では、扉１２の回動動作の初期段階に於いては、扉１２が上方に移動しつつ回動するように、リンク３０およびリンク３２の接続位置および長さが決定されている。よって、使用者が一以上定上の＋Ｙ方向への引張力を加えないと、物品１６が取り出せる程度には扉１２が開かない。従って、使用者の意思に反して扉１２が全開状態となることが抑止される。
【００３３】
図３（Ｃ）は、上記の回動動作を進行させて扉１２の開く角度を３５度とした段階を示している。本形態では、扉１２の角度が３５度に達すると、図示するように、リンク３２の下端が、リンク３０の中間部分の下方部分に於ける下側側面に当接して、扉１２がそれ以上開かない様に構成されている。即ち、本形態では、リンク機構は、扉１２とレール部材１４とを連結させて扉１２の回動する軌道を規定しているのみではなく、扉１２が回動する際の全開の位置も規定している。
【００３４】
本形態では、扉１２の回動する角度が一定以上（例えば１０度以上）となると、扉１２はその位置を下げつつ回動動作を行うように成る。これにより、開動作の為の回動を使用者が行う際においては、開動作の途中から扉１２の自重で回動動作が行われる。よって、使用者が扉１２に大きな操作力を加える必要がないので、使用者の負担が軽減される。特に、扉１２の内側の収納部１９には２リットルの容量を有するペットボトルを数本収納させる場合もあるが、このような場合であっても、扉１２の上方への重心移動が僅かであるため、使用者の労力が少なくて済む。また、全開状態と成った際は、使用者が−Ｙ方向に押圧しなければ閉状態のための回動動作が進行しないので、扉１２が使用者の意思に反して自閉することが防止される。
【００３５】
また、リンク機構を採用しているため、扉１２を回動動作する場合の上方への扉１２の移動量が少なくなっている。具体的には、例えば、開動作に伴い、扉１２の内側下端部が５０ｍｍ＋Ｙ方向に移動した際の、その部位の上方への移動量を５ｍｍ程度とできる。即ち、回動動作に伴う扉１２の上方への移動量を、側方への移動量と比較して１／１０以下とすることができる。これにより、他の扉との干渉を伴わずに扉１２の回動動作が可能となる。
【００３６】
図４を参照して、上記したリンク機構の構成および軌跡を説明する。図４の各図はリンク機構２２の構成を概念的に示し、図４（Ａ）は扉１２が閉鎖状態の場合を示し、図４（Ｂ）は扉１２の開く角度θが５度の場合を示し、図４（Ｃ）は扉１２の開く角度θが３５度になった全開の場合を示す。
【００３７】
図４（Ａ）を参照して、リンク機構２２を構成する各部材の大きさや相対的な位置の一例を説明する。具体的には、Ｚ方向における軸部３４と軸部３８との距離Ｌ１は６６ｍｍであり、両者のＹ方向での距離Ｌ２は３５ｍｍである。また、リンク３２の長さＬ３は１５５ｍｍであり、リンク３０の長さＬ４は２１３ｍｍである。軸部３６と軸部４０との距離Ｌ５は３８ｍｍである。これらの寸法は扉１２の開度によって変動しない。また、この図では、扉１２の開動作に伴う軸部３６の軌跡４２と、軸部４０の軌跡４４を一点鎖線で示している。扉１２が閉鎖しているこの段階では、軸部３６は軸部４０よりも下方に配置されている。
【００３８】
図４（Ｂ）を参照して、扉１２の比較角度θを５度とすると、扉の移動に伴い軸部３６が軌跡４２に沿って＋Ｙ方向に移動している。同様に、軸部４０も軌跡４４に沿って＋Ｙ方向に移動している。また、扉１２の開動作に伴い、リンク３２は軸部３４を中心にして反時計回りに回転し、リンク３０も軸部３８を中心として反時計回りに回転している。この段階でも軸部３６は軸部４０よりも下方に配置されている。
【００３９】
図４（Ｃ）を参照して、扉１２が開く角度θを３５度程度の全開状態とした場合、上記と同様に、軸部３６は軌跡４２に沿って紙面上にて右上方向に移動し、軸部４０も同様に軌跡４４に沿って右上方向に移動する。また、リンク３２は軸部３４を中心に反時計回りに回転し、リンク３０も軸部３８を中心に反時計回りに回転する。
【００４０】
ここでは、リンク３０の途中部分に、リンク３２の下端が当接している。これは、扉１２の回動動作が進行することにより、軸部３６が軸部４０よりも上方に移動することと、リンク３２がリンク３０よりも短いこと等により実現される。よって、扉１２が全開とされる位置を、連結部材であるリンク機構で実現できるので、安定的に全開とされる位置が規定され、部品点数の増加が抑制される。
【００４１】
図５を参照して、冷蔵庫本体側に取り付けられるリンク支持部材２８に関して説明する。図５（Ａ）はリンク支持部材２８を全体的に示す斜視図であり、図５（Ｂ）はリンク支持部２８Ｂを拡大して示す斜視図である。
【００４２】
図５（Ａ）を参照して、リンク支持部材２８は、レール部材１４（図２（Ａ）参照）の前端部付近に取り付けられ、平面視でコの字状となるように成形された一体の金属材料等から成る。リンク支持部材２８は、Ｘ方向に直線上に伸びる中間部分の中継部２８Ｃと、中継部２８Ｃの＋Ｘ側の端部と連続して＋Ｙ方向に曲折加工されたリンク支持部２８Ａと、中継部２８Ｃの−Ｘ側の端部と連続して＋Ｙ方向に曲折加工されたリンク支持部２８Ｂとを有している。リンク支持部２８Ａとリンク支持部２８Ｂとは同様の構成となっている。
【００４３】
図５（Ｂ）を参照して、リンク支持部２８Ｂの所定箇所を貫通して、図３を参照して上記したリンク３０が軸支されるリンク孔４８、リンク３２が軸支されるリンク孔５０が形成されている。また、リンク支持部２８Ｂの一部分を四角形状に切開して−Ｘ方向に突起させた突出部４６が形成されている。この突出部４６は、冷蔵庫本体の野菜室内部に設けられるローラー（不図示）と、リンク支持部２８Ｂを支えるビス（不図示）とが、使用状況下にて接触するのを防止するためのものである。
【００４４】
リンク支持部２８Ｂの＋Ｙ側の先端部付近を縦長矩形に開口させて係合孔５２が設けられている。これは、図６（Ｆ）を参照して後述する係合部６８と係合して、図３（Ａ）に示す様に扉１２の状態を閉状態とするためのものである。また、係合孔５２が設けられる部分のリンク支持部２８Ｂは＋Ｙ側に突出しており、その先端部分は−Ｘ側（外側）に向かって傾斜している。これにより、図６（Ｆ）を参照して後述する係合部６８との係合が容易とされる。
【００４５】
図６を参照して、扉１２に設けられる係合機構等に関して説明する。図６（Ａ）は扉１２を全体的に示す斜視図であり、図６（Ｂ）は扉１２を中央部分で切断した場合を示す断面指図であり、図６（Ｃ）は扉１２に設けられるハンドル部５８を示す断面図であり、図６（Ｄ）はハンドル部５８を示す断面斜視図であり、図６（Ｅ）は扉１２に配置される係合機構５６Ａを示す斜視図であり、図６（Ｆ）は係合部６８を示す斜視図である。
【００４６】
図６（Ａ）を参照して扉１２の内部には、Ｘ方向に伸びるワイヤ５４と、扉１２の−Ｘ側の端部付近に配置されてワイヤ５４の端部と接続された係合機構５６Ａと、＋Ｘ側の端部付近に配置されてワイヤ５４の端部と接続された係合機構５６Ｂとが配置されている。ここで、係合機構５６Ａに接続するワイヤ５４と、係合機構５６Ｂに接続するワイヤ５４とは別体のものである。ワイヤ５４は使用者による引張力を係合機構５６Ａおよび係合機構５６Ｂに伝達させる機能を有する。係合機構５６Ａおよび係合機構５６Ｂは、図５（Ｂ）に示したリンク支持部２８Ａおよびリンク支持部２８Ｂに設けられた係合孔５２に係合し、図３（Ａ）に示すように扉１２を閉状態とする機能を有する。
【００４７】
図６（Ｂ）を参照して、扉１２のＸ方向に於ける中央部分の前面上端部を部分的に窪ませた凹状領域６０が形成されている。凹状領域６０の大きさは、成人が手を部分的に挿入できる程度の大きさとされる。凹状領域６０にはハンドル部５８が内蔵されており、使用者がハンドル部５８を操作することで係合機構５６Ａ等と冷蔵庫本体との係合を解除して、扉１２の回動動作を可能とする。
【００４８】
図６（Ｃ）および図６（Ｄ）を参照して、ハンドル部５８の凹状領域６０には、板状の押圧板６２が内蔵されている。押圧板６２の下端付近には、ワイヤ５４の端部が接続されている。よって、使用者が凹状領域６０に手を差し込んで押圧板６２を＋Ｙ側に押圧すると、ワイヤ５４は引っ張られ、以下に述べるように係合機構５６Ａによる係合が解除される。
【００４９】
図６（Ｅ）を参照して、係合機構５６Ａは、扉１２内部の所定箇所に取り付けられる取付板６６と、取付板６６に固着された支持板６４と、支持板６４により保持された係合部６８等とから構成されている。取付板６６は、Ｘ方向に伸びる平坦面が扉１２の所定箇所にビス等で固定され、＋Ｘ側の端部を曲折させた部分をワイヤ５４が貫通している。
【００５０】
図６（Ｆ）に示すように、Ｘ方向に伸びる支持板６４の両端部は＋Ｙ方向に曲折加工されている。支持板６４の＋Ｘ側の端部をワイヤ５４が貫通しており、このワイヤ５４の端部は係合部６８と接続されている。支持板６４の−Ｘ側の端部を貫通して係合部６８が配置されている。係合部６８の−Ｘ側の端面は＋Ｙ側が＋Ｘ側に後退する傾斜面となっている。また、係合部６８はバネ７０により−Ｘ方向に作用する付勢力が与えられている。係合部６８の端面が傾斜面とされることで、扉１２を閉めるための閉動作を行うと、係合部６８がスムーズに図５（Ｂ）に示す係合孔５２に係合するようになる。
【００５１】
係合機構５６Ａを解除する具体的な動作は、先ず、図６（Ｃ）を参照して使用者が扉１２の凹状領域６０に手を差し込んで押圧板６２を＋Ｙ方向に押圧する。この押圧に伴い、内部のワイヤ５４（インナーワイヤー）が引っ張られ、図６（Ｆ）に示す係合部６８が＋Ｘ方向（内側）に移動する。そして、図３（Ｂ）に示す扉１２とリンク支持部２８Ａとの係合が解除され、扉１２が回動可能と成る。
【００５２】
上記のように機械的な機構により扉１２の係合機構を構成することで、電気的制御の場合と比較して、故障が発生することが抑止される。
【００５３】
以上が本形態の冷蔵庫１に関する説明であるが、以下のように変更し得る。
【００５４】
図１を参照して、野菜室７以外の貯蔵庫（例えば下段冷凍室６）等に関しても、上記したリンク機構を採用することが可能である。
【符号の説明】
【００５５】
１     冷蔵庫
２     断熱箱体
３     冷蔵室
４     製氷室
５     上段冷凍室
６     下段冷凍室
７     野菜室
８     扉
９     扉
１０   扉
１１   扉
１２   扉
１４   レール部材
１６   物品
１８   小物容器
１９   収納部
２０   野菜容器
２２   リンク機構
２４   ローラー
２６   リンク支持部
２８   リンク支持部材
２８Ａ，２８Ｂ       リンク支持部
２８Ｃ 中継部
３０   リンク
３２   リンク
３４   軸部
３６   軸部
３８   軸部
４０   軸部
４２   軌跡
４４   軌跡
４６   突出部
４８   リンク孔
５０   リンク孔
５２   係合孔
５４   ワイヤ
５６Ａ，５６Ｂ       係合機構
５８   ハンドル部
６０   凹状領域
６２   押圧板
６４   支持板
６６   取付板
６８   係合部
７０   バネ
【図１】
2015169342.tif 000003
【図２】
2015169342.tif 000004
【図３】
2015169342.tif 000005
【図４】
2015169342.tif 000006
【図５】
2015169342.tif 000007
【図６】
2015169342.tif 000008